(57)【要約】【課題】移動通信端末機がセルを選択する場合、受信チャネルから転送されたメッセージのエラー率を測定し、前記測定されたエラー率と端末機に保存されている臨界値とを比較した後、セル選択を行うことにより、端末機のバッテリ消耗量を低減できる移動通信端末機のセル選択装置及び方法を提供する。【解決手段】移動通信端末機は、メッセージの所定時間のエラー率を測定するエラー率測定部と、前記測定されたエラー率と所定臨界値の大きさを確認する確認部と、前記測定されたエラー率と前記所定臨界値を用いてセル選択を制御する制御部とを含む。【選択図】図１
2006135953.tif 000002
【特許請求の範囲】
【請求項１】
メッセージの所定時間のエラー率を測定するエラー率測定部と、
前記測定されたエラー率と所定臨界値の大きさを確認する確認部と、
前記測定されたエラー率と前記所定臨界値を用いてセル選択を制御する制御部と
を含むことを特徴とする移動通信端末機。
【請求項２】
前記測定されたエラー率を保存するためのメモリをさらに含むことを特徴とする請求項１に記載の移動通信端末機。
【請求項３】
端末機に提供されるサービングセルの電力の品質を測定する電力品質測定部をさらに含むことを特徴とする請求項１に記載の移動通信端末機。
【請求項４】
前記制御部は、
前記測定されたエラー率が前記所定臨界値より大きい場合、サービングセルから周辺セルにセル選択を行うことを特徴とする請求項１に記載の移動通信端末機。
【請求項５】
端末機に提供されるサービングセルの電力品質値と前記端末機がサービスを受けるための最小受信電力品質値との差を計算する計算部をさらに含むことを特徴とする請求項１に記載の移動通信端末機。
【請求項６】
前記計算部は、
前記計算された差値と前記端末機が周辺セルとの接続を開始するために端末機に保存されていた所定基準値とを比較することを特徴とする請求項５に記載の移動通信端末機。
【請求項７】
前記エラー率は、
現在サービスを提供しているサービングセルのチャネルで転送されるメッセージを利用して測定されることを特徴とする請求項１に記載の移動通信端末機。
【請求項８】
前記エラー率は、
信号対雑音比（ｓｉｇｎａｌ  ｔｏ  ｎｏｉｓｅ  ｒａｔｉｏ）を含むことを特徴とする請求項１に記載の移動通信端末機。
【請求項９】
前記所定時間は、
前記メッセージのエラー率を測定するための最小必要時間であり、可変調節できることを特徴とする請求項１に記載の移動通信端末機。
【請求項１０】
前記臨界値は、
変化できることを特徴とする請求項１に記載の移動通信端末機。
【請求項１１】
サービングセル及び少なくとも１つの周辺セルと信号を送受信する送受信部と、
前記信号の特性パラメータ値を保存するメモリと、
前記送受信部及びメモリと連動する制御部とを含み、
前記制御部は、
前記サービングセルの受信電力品質値と前記サービングセルの最小受信電力品質値との差値を取得する段階と、共通チャネルで受信された少なくとも１つのメッセージの受信品質の所定時間のエラー率を測定する段階と、前記取得した差値が基準値以下である場合、前記測定したエラー率を用いてセル選択を決定するための追加手順を行う段階とを実行することを特徴とする移動通信端末機。
【請求項１２】
前記追加手順は、
前記サービングセル及び前記隣接セルの受信電力品質値を用いて前記サービングセルのランキング値及び少なくも１つの隣接セルのランキング値を計算する段階と、
タイマーが動作する間、前記隣接セルのランキング値が前記サービングセルのランキング値より大きいと判断される場合、前記測定されたエラー率を臨界値と確認する段階と、
前記測定されたエラー率が臨界値より大きい場合、セル選択を行う段階とを含むことを特徴とする請求項１１に記載の移動通信端末機。
【請求項１３】
メッセージの所定時間のエラー率を測定した後、保存する段階と、
前記保存されたエラー率と端末機に保存された臨界値とを比較する段階と、
前記保存されたエラー率が前記臨界値より大きい場合、セル選択を行う段階と
を含むことを特徴とする移動通信端末機のセル選択方法。
【請求項１４】
前記エラー率は、
サービングセルのチャネルで転送されるメッセージを利用して測定されることを特徴とする請求項１３に記載の移動通信端末機のセル選択方法。
【請求項１５】
前記エラー率は、
信号対雑音比を含むことを特徴とする請求項１３に記載の移動通信端末機のセル選択方法。
【請求項１６】
所定時間の前記エラー率を測定するためにタイマーが動作することを特徴とする請求項１３に記載の移動通信端末機のセル選択方法。
【請求項１７】
前記臨界値は、
端末機に保存されていることを特徴とする請求項１３に記載の移動通信端末機のセル選択方法。
【請求項１８】
サービングセルの受信電力品質と最小受信電力品質との差を計算する段階と、
前記サービングセルチャネルから転送されたメッセージの所定時間のエラー率を測定して保存し、前記計算された差値と端末機に予め保存されていた基準値を比較する段階と、
前記差値が前記基準値以下であると、前記サービングセルと周辺セルのランキング値を計算した後、所定時間の間、前記ランキング値を比較する段階と、
前記周辺セルのランキング値が大きく、かつ前記保存されたエラー率が端末機に保存されていた臨界値より大きい場合、セル選択を行う段階と
を含むことを特徴とする移動通信端末機のセル選択方法。
【請求項１９】
前記サービングセルチャネルは、
基地局が端末機にサービスを提供するチャネルであることを特徴とする請求項１８に記載の移動通信端末機のセル選択方法。
【請求項２０】
前記エラー率は、
前記チャネルで転送されるメッセージを利用して測定されることを特徴とする請求項１８に記載の移動通信端末機のセル選択方法。
【請求項２１】
前記エラー率は、
信号対雑音比を含むことを特徴とする請求項１８に記載の移動通信端末機のセル選択方法。
【請求項２２】
所定時間の前記エラー率を測定するためにタイマーが動作することを特徴とする請求項１８に記載の移動通信端末機のセル選択方法。
【請求項２３】
前記臨界値は、
端末機に保存されていることを特徴とする請求項１８に記載の移動通信端末機のセル選択方法。
【発明の詳細な説明】
【技術分野】
【０００１】
本発明は、移動通信端末機に関し、特に、チャネルで転送されたメッセージを利用してセルを選択できる移動通信端末機のセル選択装置及び方法に関する。
【背景技術】
【０００２】
一般に、無線通信システムは、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）のような変調技術を用いて使用者に音声やデータなどの多様な通信サービスを提供する。前記ＣＤＭＡシステムは、「ＴＩＡ／ＥＩＡ−９５−Ｂ  Ｍｏｂｉｌｅ  Ｓｔａｔｉｏｎ−Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ−Ｍｏｄｅ  Ｗｉｄｅｂａｎｄ  Ｓｐｒｅａｄ  Ｓｐｅｃｔｒｕｍ  Ｃｅｌｌｕｌａｒ  Ｓｙｓｔｅｍ」又は第３世代移動体通信システムの標準化プロジェクト（３ｒｄ  Ｇｅｎｅｒａｔｉｏｎ  Ｐａｒｔｎｅｒｓｈｉｐ  Ｐｒｏｊｅｃｔ：  ３ＧＰＰ）のような１つ以上のＣＤＭＡ技術を提供し、ＣＤＭＡシステムの１つの基地局（ＢＳ）が形成するサービス地域をセルという。１つのセルは、そのセルの領域内に存在する移動通信端末機に限ってサービスを提供できるため、事業者は複数のセルを重複して配置することにより、使用者がいつでもどこでもサービスを利用できるようにする。
【０００３】
移動通信端末機（以下、端末機という）が他のセル領域に移動する場合、端末機とシステムは使用者にサービスを連続的に提供しなければならないので、端末機は、アイドル状態（Ｉｄｌｅ  Ｓｔａｔｅ）である場合はセル選択を行い、接続状態（Ｃｏｎｎｅｃｔｅｄ  Ｓｔａｔｅ）である場合はハンドオーバー（Ｈａｎｄ  Ｏｖｅｒ）を行う。
【０００４】
アイドル状態の端末機がセル間を移動すると、端末機は、サービスを維持している現在のセル、すなわち、サービングセル（Ｓｅｒｖｉｎｇ  Ｃｅｌｌ）との接続を解除し、新しいセル、すなわち、周辺セル（Ｎｅｉｇｈｂｏｒ  Ｃｅｌｌ）との接続を開始する。
【０００５】
図３は、従来の移動通信端末機のセル選択方法を示すフローチャートである。
【０００６】
図３に示すように、従来の移動通信端末機のセル選択方法では、次のような式を用いてセルを選択する。
【０００７】
Ｓｑｕａｌ＝Ｑｑｕａｌｍｅａｓ−Ｑｑｕａｌｍｉｎ  ・・・・・・・・・・数（１）
Ｓｑｕａｌ＜＝Ｓｒｅｆｅｒｅｎｃｅ  ・・・・・・・・・・・・・・・・・数（２）
数学式（１）及び（２）で、Ｑｑｕａｌｍｅａｓは、端末機が測定したサービングセルの受信電力品質を示し、例えば、サービングセルの受信電力と干渉（ｉｎｔｅｒｆｅｒｅｎｃｅ）信号との比を示すＥｃ／Ｉｏである。また、Ｑｑｕａｌｍｉｎは、端末機がサービスを維持するためのサービングセルの最小受信電力品質を示す。さらに、Ｓｒｅｆｅｒｅｎｃｅは、端末機が周辺セルとの接続のために用いられる基準値（ｒｅｆｅｒｅｎｃｅ  ｖａｌｕｅ）を示し、端末機に保存されている。
【０００８】
数学式（１）及び（２）を用いてサービングセルの受信電力品質を計算した端末機は、数学式（３）及び（４）を用いてサービングセルのランキング値ＲＡＮＫｓと周辺セルのランキング値ＲＡＮＫｎを計算する（Ｓ１００〜Ｓ１０６）。
【０００９】
ＲＡＮＫｓ＝Ｑｍｅａｓ，ｓ＋Ｑｈｙｓｔ，ｓ  ・・・・・・・・・・・・・数（３）
ＲＡＮＫｎ＝  Ｑｍｅａｓ，ｎ  −Ｑｏｆｆｓｅｔｓ，ｎ  ・・・・・・・・数（４）
数学式（３）及び（４）で、Ｑｍｅａｓ，ｓは、端末機が測定したサービングセルの受信電力品質を示し、Ｑｍｅａｓ，ｎは、端末機が測定した周辺セルの受信電力品質を示す。受信電力品質を示すＱｍｅａｓは、端末機が測定したＥｃ／Ｉｏ又は共通パイロットチャネルの電力を示すＲＳＣＰ（Ｒｅｃｅｉｖｅｄ  Ｓｉｇｎａｌ  Ｃｏｄｅ  Ｐｏｗｅｒ）を意味することもある。また、Ｑｈｙｓｔ，ｓは、サービングセルのオフセット値を示し、Ｑｏｆｆｓｅｔｓ，ｎは、周辺セルに対するサービングセルのオフセット値を示す。
【００１０】
従って、従来のセル選択方法は、Ｓｑｕａｌ値を計算した後、Ｓｒｅｆｅｒｅｎｃｅ値と比較して、Ｓｑｕａｌ値がＳｒｅｆｅｒｅｎｃｅ値以下であると、周辺セルのランキング値ＲＡＮＫｎとサービングセルのランキング値ＲＡＮＫｓを計算する。また、ＲＡＮＫｎとＲＡＮＫｓを比較し、セルの再選択のためのタイマー（Ｔｒｅｓｅｌｅｃｔ  Ｔｉｍｅｒ）を動作させ、前記タイマーを利用して所定時間の間、ＲＡＮＫｎがＲＡＮＫｓより大きい値を維持すると、端末機は、はじめてサービングセルから周辺セルにセル選択を行う（Ｓ１０８〜Ｓ１１２）。
【００１１】
しかしながら、従来のセル選択方法は、セル間の境界地域に位置した端末機がサービスが可能な状態であるにもかかわらず、周辺セルの受信電力品質が良い場合、不要なセル選択を行う。また、このような不要なセル選択を行う回数が増加すると、端末機のバッテリ消費量が増加するという問題があった。
【００１２】
このような問題点を解決するために、端末機がセル選択を行う条件としてサービングセルのパイロット（ｐｉｌｏｔ）電力を所定の基準値と比較する方法が提示されたが、この方法は、実際的なチャネル環境を考慮せずに、受信したサービングセルのパイロット電力のみを基準にセル選択を行うため、セル選択過程が正常に実行できないという問題があった。
【発明の開示】
【発明が解決しようとする課題】
【００１３】
本発明の目的は、移動通信端末機がセルを選択する場合、受信チャネルから転送されたメッセージのエラー率を測定し、前記測定されたエラー率と端末機に保存されている臨界値とを比較した後、セル選択を行うことにより、端末機のバッテリ消費量を低減できる移動通信端末機のセル選択装置及び方法を提供することにある。
【課題を解決するための手段】
【００１４】
このような目的を達成するための本発明に係る移動通信端末機は、メッセージの所定時間のエラー率を測定するエラー率測定部と、前記測定されたエラー率と所定臨界値の大きさを確認する確認部と、前記測定されたエラー率と前記所定臨界値を用いてセル選択を制御する制御部とを含むことを特徴とする。
【００１５】
また、このような目的を達成するための本発明に係る移動通信端末機のセル選択方法は、メッセージの所定時間のエラー率を測定した後、保存する段階と、前記保存されたエラー率と端末機に保存された臨界値とを確認する段階と、前記保存されたエラー率が前記臨界値より大きい場合、セル選択を行う段階とを含むことを特徴とする。
【００１６】
好ましくは、前記臨界値は、端末機が周辺セルと接続を開始するために適用され、端末機に保存されている。
【００１７】
上記目的を達成するために、本発明は、例えば、以下の手段を提供する。
（項目１）
メッセージの所定時間のエラー率を測定するエラー率測定部と、
前記測定されたエラー率と所定臨界値の大きさを確認する確認部と、
前記測定されたエラー率と前記所定臨界値を用いてセル選択を制御する制御部と
を含むことを特徴とする移動通信端末機。
（項目２）
前記測定されたエラー率を保存するためのメモリをさらに含むことを特徴とする項目１に記載の移動通信端末機。
（項目３）
端末機に提供されるサービングセルの電力の品質を測定する電力品質測定部をさらに含むことを特徴とする項目１に記載の移動通信端末機。
（項目４）
前記制御部は、
前記測定されたエラー率が前記所定臨界値より大きい場合、サービングセルから周辺セルにセル選択を行うことを特徴とする項目１に記載の移動通信端末機。
（項目５）
端末機に提供されるサービングセルの電力品質値と前記端末機がサービスを受けるための最小受信電力品質値との差を計算する計算部をさらに含むことを特徴とする項目１に記載の移動通信端末機。
（項目６）
前記計算部は、
前記計算された差値と前記端末機が周辺セルとの接続を開始するために端末機に保存されていた所定基準値とを比較することを特徴とする項目５に記載の移動通信端末機。
（項目７）
前記エラー率は、
現在サービスを提供しているサービングセルのチャネルで転送されるメッセージを利用して測定されることを特徴とする項目１に記載の移動通信端末機。
（項目８）
前記エラー率は、
信号対雑音比（ｓｉｇｎａｌ  ｔｏ  ｎｏｉｓｅ  ｒａｔｉｏ）を含むことを特徴とする項目１に記載の移動通信端末機。
（項目９）
前記所定時間は、
前記メッセージのエラー率を測定するための最小必要時間であり、可変調節できることを特徴とする項目１に記載の移動通信端末機。
（項目１０）
前記臨界値は、
変化できることを特徴とする項目１に記載の移動通信端末機。
（項目１１）
サービングセル及び少なくとも１つの周辺セルと信号を送受信する送受信部と、
前記信号の特性パラメータ値を保存するメモリと、
前記送受信部及びメモリと連動する制御部とを含み、
前記制御部は、
前記サービングセルの受信電力品質値と前記サービングセルの最小受信電力品質値との差値を取得する段階と、共通チャネルで受信された少なくとも１つのメッセージの受信品質の所定時間のエラー率を測定する段階と、前記取得した差値が基準値以下である場合、前記測定したエラー率を用いてセル選択を決定するための追加手順を行う段階とを実行することを特徴とする移動通信端末機。
（項目１２）
前記追加手順は、
前記サービングセル及び前記隣接セルの受信電力品質値を用いて前記サービングセルのランキング値及び少なくも１つの隣接セルのランキング値を計算する段階と、
タイマーが動作する間、前記隣接セルのランキング値が前記サービングセルのランキング値より大きいと判断される場合、前記測定されたエラー率を臨界値と確認する段階と、
前記測定されたエラー率が臨界値より大きい場合、セル選択を行う段階とを含むことを特徴とする項目１１に記載の移動通信端末機。
（項目１３）
メッセージの所定時間のエラー率を測定した後、保存する段階と、
前記保存されたエラー率と端末機に保存された臨界値とを比較する段階と、
前記保存されたエラー率が前記臨界値より大きい場合、セル選択を行う段階と
を含むことを特徴とする移動通信端末機のセル選択方法。
（項目１４）
前記エラー率は、
サービングセルのチャネルで転送されるメッセージを利用して測定されることを特徴とする項目１３に記載の移動通信端末機のセル選択方法。
（項目１５）
前記エラー率は、
信号対雑音比を含むことを特徴とする項目１３に記載の移動通信端末機のセル選択方法。
（項目１６）
所定時間の前記エラー率を測定するためにタイマーが動作することを特徴とする項目１３に記載の移動通信端末機のセル選択方法。
（項目１７）
前記臨界値は、
端末機に保存されていることを特徴とする項目１３に記載の移動通信端末機のセル選択方法。
（項目１８）
サービングセルの受信電力品質と最小受信電力品質との差を計算する段階と、
前記サービングセルチャネルから転送されたメッセージの所定時間のエラー率を測定して保存し、前記計算された差値と端末機に予め保存されていた基準値を比較する段階と、
前記差値が前記基準値以下であると、前記サービングセルと周辺セルのランキング値を計算した後、所定時間の間、前記ランキング値を比較する段階と、
前記周辺セルのランキング値が大きく、かつ前記保存されたエラー率が端末機に保存されていた臨界値より大きい場合、セル選択を行う段階と
を含むことを特徴とする移動通信端末機のセル選択方法。
（項目１９）
前記サービングセルチャネルは、
基地局が端末機にサービスを提供するチャネルであることを特徴とする項目１８に記載の移動通信端末機のセル選択方法。
（項目２０）
前記エラー率は、
前記チャネルで転送されるメッセージを利用して測定されることを特徴とする項目１８に記載の移動通信端末機のセル選択方法。
（項目２１）
前記エラー率は、
信号対雑音比を含むことを特徴とする項目１８に記載の移動通信端末機のセル選択方法。
（項目２２）
所定時間の前記エラー率を測定するためにタイマーが動作することを特徴とする項目１８に記載の移動通信端末機のセル選択方法。
（項目２３）
前記臨界値は、
端末機に保存されていることを特徴とする項目１８に記載の移動通信端末機のセル選択方法。
【発明の効果】
【００１８】
本発明は、端末機がセル間の境界地域で不要なセル選択を行わないようにすることにより、端末機のバッテリ消費量を低減し、セル選択実行時間を延長できるという効果がある。
【発明を実施するための最良の形態】
【００１９】
以下、図面を参照して本発明の好ましい実施形態を説明する。
【００２０】
本発明の基本概念は、移動通信端末機が共通チャネルから受信したメッセージのエラー率を測定し、前記測定されたエラー率と所定の基準値とを比較してセル選択を行うというものである。
【００２１】
ＣＤＭＡ方式においてアイドル状態の端末機は、周期的に共通チャネルをモニターする。前記共通チャネルは、複数の端末機が共通で通信状態を観察するチャネルを意味し、放送チャネル及びページングチャネル（Ｐａｇｉｎｇ  Ｃｈａｎｎｅｌ）などがある。基地局は、前記共通チャネルでメッセージを複数の端末機に転送し、端末機は、共通チャネルで転送された前記メッセージを利用して信号のエラー率を測定する。
【００２２】
図１は、本発明に係る移動通信端末機のセル選択装置を示すブロック図である。
【００２３】
図１に示すように、本発明に係る移動通信端末機のセル選択装置は、サービングセル及び／又は周辺セルのチャネルからメッセージを受信する受信部１０と、サービングセルの受信電力品質値とサービングセルの最小受信電力品質値を測定する電力品質測定部２０と、チャネルで受信されたデータの信号対雑音比を測定するエラー率測定部３０と、電力品質測定部２０で測定された値の差を計算し、前記計算された差値と端末機に予め保存されていた所定基準値とを比較する計算部６０と、該計算部６０で計算された結果値を保存するメモリ４０と、サービングセルのランキング値と周辺セルのランキング値とを比較する比較部７０と、前記２つのランキング値の比較と同時にタイマーを生成するタイマー生成部８０と、前記タイマーが動作する間、サービングセルのランキング値が周辺セルのランキング値より小さいと、受信チャネルから転送されるメッセージのエラー率が所定臨界値より大きいか否かを確認する確認部９０と、前記確認された結果によってセルを選択する選択部１００と、前記諸装置の多様な機能と端末機の全般的な機能を制御する制御部５０と、を含む。
【００２４】
以下、図１を参照して本発明に係る移動通信端末機のセル選択装置の動作を説明する。
【００２５】
端末機がセルを選択してセル間を移動しようとする場合、まず、端末機は、現在サービスを提供しているサービングセルチャネルの受信電力品質値Ｑｑｕａｌｍｅａｓとサービングセルの最小受信電力品質値Ｑｑｕａｌｍｉｎを電力品質測定部２０で測定する。前記測定された結果値は、制御部５０の制御によりメモリ４０に保存され、また、前記ＱｑｕａｌｍｅａｓとＱｑｕａｌｍｉｎとの差は計算部６０で計算される。
【００２６】
エラー率測定部３０は、現在サービスが提供されているチャネルで受信されたメッセージの所定時間Ｔｑｕａｌｉｔｙのエラー率を測定し、前記測定された受信品質のエラー率をメモリに保存する。前記所定時間Ｔｑｕａｌｉｔｙは、メッセージのエラー率を測定するために必要な最小時間であり、使用者又は製造社が調節できる。
【００２７】
その後、計算部６０は、電力品質測定部で２０測定されたＱｑｕａｌｍｅａｓとＱｑｕａｌｍｉｎとの差値（Ｓｑｕａｌ＝Ｑｑｕａｌｍｅａｓ−Ｑｑｕａｌｍｉｎ）を計算し、前記計算された差値Ｓｑｕａｌもメモリに保存する。さらに、計算部６０は、前記Ｓｑｕａｌと端末機に予め保存されていた基準値Ｓｒｅｆｅｒｅｎｃｅを比較する。
【００２８】
また、比較部７０は、サービングセルのランキング値ＲＡＮＫｓと周辺セルのランキング値ＲＡＮＫｎを比較する。前記ランキング値間の比較が開始すると、タイマー生成部８０は、タイマーを動作させ、前記タイマーが動作する間、ＲＡＮＫｓとＲＡＮＫｎを周期的に比較する。前記タイマーが動作する所定時間のＲＡＮＫｎがＲＡＮＫｓより大きいと、確認部９０は、現在受信チャネルから転送されるメッセージのエラー率が端末機に設定された臨界値Ｑｔｈｒｅｓｈｏｌｄより大きいか否かを確認し、前記確認の結果、前記エラー率がＱｔｈｒｅｓｈｏｌｄより大きいと、選択部１００は、はじめてサービングセルから周辺セルにセル選択を行う。
【００２９】
また、本発明は、サービングセル及び少なくとも１つの周辺セルと信号を送受信する送受信部（図示せず）と、前記信号の特性パラメータ値を保存するメモリ４０と、前記送受信部及び前記メモリ４０と連動する制御部５０とを含み、制御部５０は、前記サービングセルの受信電力品質値と前記サービングセルの最小受信電力品質値との差値を取得し、共通チャネルで受信された少なくとも１つのメッセージの受信品質の所定時間のエラー率を測定し、前記取得した差値が基準値以下であると、前記測定したエラー率を用いてセル選択を決定するための追加手順を行う。
【００３０】
前記追加手順は、前記サービングセル及び前記隣接セルの受信電力品質値を利用して前記サービングセルのランキング値及び少なくとも１つの隣接セルのランキング値を計算する段階とタイマーが動作する間、前記隣接セルのランキング値が前記サービングセルのランキング値より大きいと判断されると、前記測定されたエラー率を臨界値と比較する段階と、前記測定されたエラー率が臨界値より大きいとセル選択を行う段階を含む。
【００３１】
図２は、本発明に係る移動通信端末機のセル選択方法を示すフローチャートである。
【００３２】
以下、図２を参照して本発明に係る移動通信端末機のセル選択方法を詳細に説明する。
【００３３】
端末機がセルを選択してセル間を移動しようとする場合、まず、端末機は、サービングセルの受信電力品質値Ｑｑｕａｌｍｅａｓとサービングセルの最小受信電力品質値Ｑｑｕａｌｍｉｎを測定する（Ｓ２００）。その後、前記測定されたＱｑｕａｌｍｅａｓとＱｑｕａｌｍｉｎの差値Ｓｑｕａｌを計算する（Ｓ２０２）。次に、共通チャネルで受信されるメッセージを利用して共通チャネルの受信品質の所定時間Ｔｑｕａｌｉｔｙのエラー率を測定し、前記測定された受信品質を内蔵メモリに保存する（Ｓ２０４）。
【００３４】
過程（Ｓ２０２）で計算されたＳｑｕａｌと端末機が周辺セルとの接続を開始するために保存していた可変的な基準値Ｓｒｅｆｅｒｅｎｃｅとの差を比較し、ＳｑｕａｌがＳｒｅｆｅｒｅｎｃｅ以下であると、周辺セルとの接続を開始した後、サービングセルのランキング値ＲＡＮＫｓと周辺セルのランキング値ＲＡＮＫｎとを比較する（Ｓ２０６、Ｓ２０８）。前記計算されたＲＡＮＫｓは、Ｑｍｅａｓ，ｓ＋Ｑｈｙｓｔ，ｓにより計算され、前記Ｑｍｅａｓ，ｓは、端末機が測定したサービングセルの受信電力品質を示し、前記Ｑｈｙｓｔ，ｓは、サービングセルのオフセット値を示す。また、前記計算されたＲＡＮＫｎは、Ｑｍｅａｓ，ｎ−Ｑｏｆｆｓｅｔｓ，ｎにより計算され、前記  Ｑｍｅａｓ，ｎは、端末機が測定した周辺セルの受信電力品質を示し、前記Ｑｏｆｆｓｅｔｓ，ｎは、周辺セルに対するサービングセルのオフセット値を示す。
【００３５】
前記ランキング値ＲＡＮＫｓ、ＲＡＮＫｎが計算されると、端末機は、タイマーを動作させ、前記タイマーが動作する間、ＲＡＮＫｎとＲＡＮＫｓを周期的に比較する（Ｓ２１０、Ｓ２１２）。前記比較過程（Ｓ２１２）でタイマーが動作する間、継続して周辺セルのランキング値がサービングセルのランキング値より大きいと、端末機は、受信チャネルから転送されて保存されたメッセージのエラー率が端末機に設定された臨界値Ｑｔｈｒｅｓｈｏｌｄより大きいか否かを確認する（Ｓ２１４）。その後、確認の結果、前記エラー率がＱｔｈｒｅｓｈｏｌｄより大きいと、端末機は、はじめてサービングセルから周辺セルにセル選択を行う（Ｓ２１６）。
【００３６】
前述したように、本発明は、前記セル選択時間のタイマーを動作させてＴｒｅｓｅｌｅｃｔの間、ＲＡＮＫｎがＲＡＮＫｓより大きいか否かを判断した後、ＲＡＮＫｎがＲＡＮＫｓより大きい場合、直ちにセル選択を行うのでなく、端末機に設定された時間Ｔｑｕａｌｉｔｙの間、測定したメッセージのエラー率が臨界値Ｑｔｈｒｅｓｈｏｌｄより大きい場合にのみサービングセルから周辺セルにセル選択を行う。
【００３７】
すなわち、チャネル環境が変わっても共通チャネルの受信品質が一定に維持されると、端末機は安定的にサービスが可能であると判断され、よって、メッセージのエラー率はセル選択を行うか否かを判断する正確な指標として使用される。
【００３８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３９】
移動通信端末機がセルを選択する場合、受信チャネルから転送されたメッセージのエラー率を測定し、前記測定されたエラー率と端末機に保存されている臨界値とを比較した後、セル選択を行うことにより、端末機のバッテリ消耗量を低減できる移動通信端末機のセル選択装置及び方法を提供する。
【００４０】
移動通信端末機は、メッセージの所定時間のエラー率を測定するエラー率測定部と、前記測定されたエラー率と所定臨界値の大きさを確認する確認部と、前記測定されたエラー率と前記所定臨界値を用いてセル選択を制御する制御部とを含む。
【図面の簡単な説明】
【００４１】
【図１】本発明に係る移動通信端末機のセル選択装置を示すブロック図である。
【図２】本発明に係る移動通信端末機のセル選択方法を示すフローチャートである。
【図３】従来の移動通信端末機のセル選択方法を示すフローチャートである。
【図１】
2006135953.tif 000003
【図２】
2006135953.tif 000004
【図３】
2006135953.tif 000005